(57)【要約】      （修正有）【課題】宣伝広告表示等を容易に変えることができて無駄なく使用できる実用性に優れる告知表示パネルを提供する。【解決手段】ベースパネル３上に、表面に互いに異なる告知表示Ｐ１、Ｐ２がなされた複数枚のシート５ａ、５ｂ、５ｃが取り剥がし可能に積層状態に貼り付けられてなる告知表示パネル。告知表示を容易に変えることができることで、無駄なく使用でき実用性に優れ、宣伝広告パネル等として好適に用いられる。【選択図】図１
0003159679.tif 000002
【実用新案登録請求の範囲】
【請求項１】
ベースパネル上に、表面に互いに異なる告知表示がなされた複数枚のシートが取り剥がし可能に積層状態に貼り付けられてなる告知表示パネル。
【請求項２】
前記複数枚のシートにおける告知表示内容が、上層から下層にかけて経時的に変化している請求項１記載の告知表示パネル。
【請求項３】
前記複数枚のシートの裏面に不透明層が形成されてなる請求項１記載の告知表示パネル。
【請求項４】
宣伝広告機能を有する請求項１、２または３記載の告知表示パネル。
【考案の詳細な説明】
【技術分野】
【０００１】  この考案は、スーパーマーケットや家電量販店や飲食店等の店舗で使用される宣伝広告パネル等として用いられる告知表示パネルに関する。
【背景技術】
【０００２】  スーパーマーケットや家電量販店や飲食店等においては、売り上げ促進のため宣伝広告パネルを用いる。この宣伝広告パネルはある程度の厚みを有するもので、表面もしくは表裏面に宣伝広告が表示され、吊り下げられたり、立てかけられたりして設置されている。そして、この宣伝広告パネルは季節変化等に伴う販売商品の切り替えや新製品の販売に伴って宣伝広告表示が異なったものに取替えられる。
【考案の概要】
【考案が解決しようとする課題】
【０００３】  したがって、従来においては、順次新しい宣伝広告パネルを用意するのに費用がかかるとともに、古いものを次々と廃棄する無駄があった。とくに、広い店舗では宣伝広告パネルが種々多数あるのでその取替えに非常に手間のかかるとともに、廃棄物の処理に困る問題があった。【０００４】  この考案は上記の点に鑑みて行ったもので、宣伝広告表示等を容易に変えることができて無駄なく使用できる実用性に優れる告知表示パネルを提供する。【０００５】この考案では、ベースパネル上に、表面に互いに異なる告知表示がなされた複数枚のシートが取り剥がし可能に積層状態に貼り付けられてなる告知表示パネルを提供する。【０００６】  上記構成の告知表示パネルによれば、その設置位置においてベースパネルをそのままとしてシートを取り剥がすことで告知表示を変えることができる。シートはそれほど嵩張るものでないので、その廃棄物の量も少なくその処理にあまり手間を要しない。【０００７】  複数枚のシートにおける告知表示内容が、上層から下層にかけて経時的に変化している構成とされることで、経年変化や季節変化に対応する告知表示が行える。また、複数枚のシートの裏面に不透明層が形成された構成とすることで、告知表示が下層シートの表示が映り出すことのなく明瞭になされる。この告知表示パネルは、各種店舗における宣伝広告パネルとくに好適に用いられ、経年変化や季節変化に対応する販売商品の切り替えや新製品の販売に伴ってシートを取り剥がして宣伝告知表示を変更できるので便利である。【０００８】  ベースパネルとしては、発泡スチロール、プラスチックパネル、ダンボール紙、厚紙等のある程度の強度を持つ適宜の材料が使用できる。シートの取り剥がし可能な貼り付けは、粘着材の他に擬似接着材や圧着糊を用いて行ってもよく、さらに、シート面にプラスチックフィルムを付設してそのフィルムの密着性を利用しても行ってもよい。また、シートを告知表示パネルの両面に同様に貼り付けることで、両面における告知表示が行える。また、シートは告知表示パネルの全面に貼り付けることなく、一部に貼り付けるようにしてもよい。
【考案の効果】
【０００９】  この考案によれば、告知表示を容易に変えることができることで無駄なく使用できて実用性に優れ、宣伝広告パネル等として好適に用いられる告知表示パネルが得られる。
【図面の簡単な説明】
【００１０】
【図１】この考案の告知表示パネルの実施形態の宣伝広告パネルの外観斜視図
【図２】この考案の告知表示パネルの実施形態の宣伝広告パネルの部分拡大断面図
【図３】この考案の告知表示パネルの実施形態の宣伝広告パネルに使用するシートそれぞれの平面図
【図４】この考案の告知表示パネルの実施形態の宣伝広告パネルの印刷工程図
【考案を実施するための形態】
【００１１】  図１はこの考案の告知表示パネルである宣伝広告パネルの外観斜視図、図２は同部分断面拡大図である。
【００１２】  宣伝広告パネル１は、発泡スチロール材よりなるベースパネル３上に３枚の紙製のシート５ａ、５ｂ、５ｃが積層状態に貼り付けられて構成されている。各シート５ａ、５ｂ、５ｃの表面全体には宣伝告知表示Ｐ１、Ｐ２、Ｐ３が印刷により設けられており、裏面全体には灰色の不透明層７、７、７が塗布形成されている。図３（Ａ）（Ｂ）（Ｃ）それぞれは各シート５ａ、５ｂ、５ｃ表面の宣伝告知表示Ｐ１、Ｐ２、Ｐ３を示し、宣伝告知表示Ｐ１は「７月」の宣伝告知を、宣伝告知表示Ｐ２は「８月」の宣伝告知を、宣伝告知表示Ｐ３は「９月」の宣伝告知をそれぞれ行っており、上層から下層にかけてシート５ａ、５ｂ、５ｃの順に貼り付けられている。各シート５ａ、５ｂの貼り付けは粘着材９、９が用いられて行われ、これにより各シート５ａ、５ｂは取り剥がしが可能となっている。シート５ｃはベースパネル３に接着材１１により固着されている。
【００１３】  宣伝広告パネル１は、「７月」においてはシート５ａ、５ｂ、５ｃが全て貼り付けられた状態において使用され、表面においてシート５ａにおける「７月」の宣伝告知表示Ｐ１を表示する。「８月」においてはシート５ａが剥がされて用いられることで、表面においてシート５ｂにおける「８月」の宣伝告知表示Ｐ２を表示する。「９月」においてはさらにシート５ｂが剥がされて用いられることで、表面においてシート５ｃにおける「９月」の宣伝告知表示Ｐ３を表示する。このように５ａ、５ｂを剥がして使用することで、ベースパネル３をそのままにして宣伝広告が変更される。シート５ａ、５ｂの裏面に不透明層７、７が設けられていることで、シート５ａにおける「７月」の宣伝告知表示Ｐ１に下層のシート５ｂにおける「８月」の宣伝告知表示Ｐ２が映り出すこと、シート５ｂにおける「８月」の宣伝告知表示Ｐ２に下層のシート５ｃにおける「９月」の宣伝告知表示Ｐ３が映り出すことが確実に回避され、各シート５ａ、５ｂの宣伝告知表示Ｐ１、Ｐ２の表示が明瞭になされる。このように５ａ、５ｂを剥がして使用することで、宣伝広告パネル１はその設置位置においてベースパネル３をそのままとして広告表示を変更することが行える。
【００１４】  次に、宣伝広告パネル１の製造について説明する。図４はシート５ｃにおける印刷状態を示す平面図であり、まず、印刷台板２０上に一枚のシート基材１０を位置決めブロック２１、２１、２１により位置決めして配置し、そのシート基材１０の表面の２箇所の所定位置に宣伝告知表示Ｐ３それぞれの印刷を行う。次に、その上面の１点鎖線位置に新たなシート基材１０を粘着材９により貼り付けて配置し、上記２箇所の所定位置に宣伝告知表示Ｐ２それぞれの印刷を行う。次に、その上面の２点鎖線位置に新たなシート基材１０を粘着材９により貼り付けて配置し、上記２箇所の所定位置に宣伝告知表示Ｐ１それぞれの印刷を行う。このようにして得られた３層構造の印刷体において、上記２箇所の所定位置部分を切り抜き、これをベースパネル３上に接着材１１により貼り付けることで上層より宣伝告知表示Ｐ１、Ｐ２、Ｐ３が備えられた宣伝広告パネル１が得られる。上記のように製造することで、シート５ａ、５ｂ、５ｃが位置精度を高くして重なり状態となった宣伝広告パネル１が容易に得られる。
【符号の説明】
【００１５】  １    宣伝広告パネル（告知表示パネル）
３    ベースパネル
５ａ、５ｂ、５ｃ    シート
Ｐ１、Ｐ２、Ｐ３    宣伝告知表示
【図１】
0003159679.tif 000003
【図２】
0003159679.tif 000004
【図３】
0003159679.tif 000005
【図３】
0003159679.tif 000006
【図３】
0003159679.tif 000007
【図４】
0003159679.tif 000008
【手続補正書】
【提出日】平成22年2月1日(2010.2.1)
【手続補正１】
【補正対象書類名】実用新案登録請求の範囲
【補正対象項目名】全文
【補正方法】変更
【補正の内容】
【実用新案登録請求の範囲】
【請求項１】
ベースパネル上に、表面に互いに異なる告知表示がなされた複数枚のシートが取り剥がし可能に積層状態に貼り付けられてなる告知表示パネル。
【請求項２】
前記複数枚のシートにおける告知表示内容が、上層から下層にかけて経時的に変化している請求項１記載の告知表示パネル。
【請求項３】
前記複数枚のシートの裏面に不透明層が形成されてなる請求項１記載の告知表示パネル。
【手続補正２】
【補正対象書類名】図面
【補正対象項目名】全図
【補正方法】変更
【補正の内容】
【図１】
0003159679.tif 000009
【図２】
0003159679.tif 000010
【図３】
0003159679.tif 000011
【図４】
0003159679.tif 000012